(57)【特許請求の範囲】
【請求項１】
枠体に支持される複数のガラリ羽根を備え、これら複数のガラリ羽根間の通気空間を介して見込み方向に空気を流通させるガラリであって、
前記複数のガラリ羽根は、略水平に延びて左右両端部が前記枠体の縦枠に支持されるとともに、当該複数のガラリ羽根同士が上下に並んで設けられ、
前記ガラリ羽根の室内側端部には室内側樋部が形成され、
前記縦枠において、前記室内側樋部に対応した見込み位置には、当該室内側樋部を流れてきた水を下方に案内する室内側縦樋部が設けられ、
前記複数のガラリ羽根の左右両端部の室内側には、見付け方向に延びる見付け片部を備えて上下に延びる縦部材が設けられ、
前記縦部材の室内側には前記室内側縦樋部に連通した縦通気空間が設けられ、
前記縦部材の室外側には前記室内側縦樋部に連通した縦開口部が設けられ、
前記縦開口部に入った風が前記室内側縦樋部および前記縦通気空間を通って前記ガラリ羽根の室内側に通り抜け可能に構成されているガラリ。
【請求項２】
前記ガラリ羽根は、その室内側端部に連続して見付け方向に延びる室内側延出片部を有して形成され、
前記室内側樋部は、前記室内側延出片部によって形成されている請求項１に記載のガラリ。
【請求項３】
前記縦部材は、前記ガラリ羽根の室内側端部に沿って見付け方向に延びる前記見付け片部と、この見付け片部に連続して見込み方向室外側に折れ曲がり前記ガラリ羽根の端縁に沿った見込み片部と、を有して形成され、
前記縦通気空間は、前記縦部材の見付け片部の室内側に設けられ、
前記縦開口部は、前記縦部材の見込み片部の室外側に設けられている請求項１または請求項２に記載のガラリ。
【発明の詳細な説明】
【技術分野】
【０００１】
本発明は、複数のガラリ羽根を備えたガラリに関する。
【背景技術】
【０００２】
従来、複数のガラリ羽根を備えたガラリが知られている（例えば、特許文献１参照）。
特許文献１に記載されたガラリでは、ガラリ羽根が全体略山形に形成されるとともに、その山形の頂部であるガラリ羽根の中間部から突出した雨水受け部と、この雨水受け部に連続した中間部樋とを有して形成され、中間部樋で受けた雨水等を縦枠まで案内して排水できるように構成されている。そして、特許文献１のガラリでは、ガラリ羽根の室内側端部に室内側上部樋および室内側下部樋が形成され、中間部の雨水受け部を超えた雨水を室内側の上部樋および下部樋で受け止めて排水できるように構成されている。
【先行技術文献】
【特許文献】
【０００３】
【特許文献１】特開２００６−２０７２５０号公報
【発明の概要】
【発明が解決しようとする課題】
【０００４】
ところで、特許文献１に記載されたような従来のガラリは、ガラリ羽根の中間部に雨水受け部を形成し、この雨水受け部に衝突した雨水を中間部樋に落下させて溜めるように構成されている。しかし、強風を伴って雨水が吹き付けた場合などには、水分を多く含んだままの風雨が雨水受け部を超えて室内側上部樋や室内側下部樋に到達する可能性があり、ガラリ羽根の中間部において、風（空気）と水分とをより効果的に分離できる手段が望まれている。
【０００５】
本発明の目的は、雨水を効果的に分離して室内側への水分の浸入を減少させることができるガラリを提供することにある。
【課題を解決するための手段】
【０００６】
本発明のガラリは、枠体に支持される複数のガラリ羽根を備え、これら複数のガラリ羽根間の通気空間を介して見込み方向に空気を流通させるガラリであって、前記複数のガラリ羽根は、略水平に延びて左右両端部が前記枠体の縦枠に支持されるとともに、当該複数のガラリ羽根同士が上下に並んで設けられ、前記ガラリ羽根の室内側端部には室内側樋部が形成され、前記縦枠において、前記室内側樋部に対応した見込み位置には、当該室内側樋部を流れてきた水を下方に案内する室内側縦樋部が設けられ、前記複数のガラリ羽根の左右両端部の室内側には、見付け方向に延びる見付け片部を備えて上下に延びる縦部材が設けられ、前記縦部材の室内側には前記室内側縦樋部に連通した縦通気空間が設けられ、前記縦部材の室外側には前記室内側縦樋部に連通した縦開口部が設けられ、前記縦開口部に入った風が前記室内側縦樋部および前記縦通気空間を通って前記ガラリ羽根の室内側に通り抜け可能に構成されていることを特徴とする。
【０００７】
このような本発明によれば、ガラリ羽根の左右両端部に縦部材を設け、この縦部材の室内側に縦通気空間を形成したことで、ガラリ羽根の室内側樋部や縦部材に衝突した風が縦通気空間を経由することとなり、風の勢いを弱めることができるとともに、この風の流れによって室内側樋部の雨水を室内側縦樋部に導くことができる。
【０００８】
この際、本発明のガラリでは、前記ガラリ羽根は、その室内側端部に連続して見付け方向に延びる室内側延出片部を有して形成され、前記室内側樋部は、前記室内側延出片部によって形成されていることが好ましい。
【０００９】
さらに、本発明のガラリでは、前記縦部材は、前記ガラリ羽根の室内側端部に沿って見付け方向に延びる前記見付け片部と、この見付け片部に連続して見込み方向室外側に折れ曲がり前記ガラリ羽根の端縁に沿った見込み片部と、を有して形成され、前記縦通気空間は、前記縦部材の見付け片部の室内側に設けられ、前記縦開口部は、前記縦部材の見込み片部の室外側に設けられていることが好ましい。
【００１０】
本発明の関連技術であるガラリは、枠体に支持される複数のガラリ羽根を備え、これら複数のガラリ羽根間の通気空間を介して見込み方向に空気を流通させるガラリであって、前記ガラリ羽根は、見込み方向室外側に位置する室外側部材と、見込み方向室内側に位置する室内側部材とを備えて構成され、前記室外側部材は、室外側に向かうにしたがって当該ガラリ羽根の見付け方向一方側に傾斜する室外傾斜片部を有して形成され、前記室内側部材は、室内側に向かうにしたがって当該ガラリ羽根の見付け方向一方側に傾斜する室内傾斜片部と、この室内傾斜片部の室外側端部近傍位置から見付け方向他方側に延びる中間延出片部と、前記室内傾斜片部の室内側端部に連続して見付け方向一方側および他方側に延びる室内側延出片部とを有して形成され、前記室外側部材における室外傾斜片部の室内側端部と、前記室内側部材における室内傾斜片部の室外側端部とが見込み方向に離隔して設けられ、これらの室外側部材と室内側部材との間に隙間が形成されていることを特徴とする。
このような関連技術によれば、ガラリ羽根を構成する室外側部材と室内側部材との間に隙間を形成し、この隙間よりも室内側に位置する室内側部材の室外側端部近傍に中間延出片部を形成したことで、中間延出片部に衝突した風雨が中間延出片部を超える方向と隙間を通る方向との二方向に分かれることとなる。従って、二方向に分かれる際に風雨に含まれた水分を中間延出片部で分離するとともに、風のエネルギーが消費されて風速が低下することから、分離した水分を再度吹き上げることが防止でき、雨水を効果的に分離することができる。さらに、室内側部材の室内側端部において、見付け方向一方側および他方側に延びる室内側延出片部を形成したことで、中間延出片部にて分かれた二方向の風が室内側延出片部に衝突し、この室内側延出片部でさらに水分を分離することができ、水分の減少した風が室内側に流れ込むようにできる。
【００１１】
さらに、本発明の関連技術であるガラリでは、前記ガラリ羽根の室内側部材における前記中間延出片部と、当該ガラリ羽根の見付け方向他方側に隣り合う他のガラリ羽根の室内側部材における前記室内側延出片部とは、互いの少なくとも一部が見込み方向に重なって配置されていることが好ましい。
このような構成によれば、隣り合うガラリ羽根において中間延出片部と室内側延出片部とが見込み方向に重なって配置されていることで、中間延出片部を超えた風雨が直線的に室内側に吹き込むのを防止して、この風雨を室内側延出片部に衝突させて水分を分離することができ、一層効果的に風雨を空気と雨水とに分離することができる。
【００１２】
さらに、本発明の関連技術であるガラリでは、前記室内側部材における前記中間延出片部は、前記ガラリ羽根の見付け方向と略平行かつ直線状に延びるとともに、この延びた先端部が室外側に屈曲して形成されていることが好ましい。
このような構成によれば、中間延出片部を見付け方向と略平行かつ直線状に形成した、つまり見込み方向に略直交するように中間延出片部を形成したことで、風雨を確実に衝突させて水分を分離できるとともに、衝突した風雨の勢いを低下させることができ、中間延出片部を超えた風による水分の吹き上げを確実に防止することができる。
【００１３】
また、本発明の関連技術であるガラリは、枠体に支持される複数のガラリ羽根を備え、これら複数のガラリ羽根間の通気空間を介して見込み方向に空気を流通させるガラリであって、前記ガラリ羽根は、見込み方向室外側に位置する室外側部材と、見込み方向室内側に位置する室内側部材とを備えて構成され、前記室外側部材は、室外側に向かうにしたがって当該ガラリ羽根の見付け方向一方側に傾斜する室外傾斜片部を有して形成され、前記室内側部材は、室内側に向かうにしたがって当該ガラリ羽根の見付け方向一方側に傾斜する室内傾斜片部と、この室内傾斜片部の室外側端部近傍位置から見付け方向他方側に延びる中間延出片部と、前記室内傾斜片部の室内側端部に連続して見付け方向一方側および他方側に延びる室内側延出片部とを有して形成され、前記室外側部材における室外傾斜片部の室内側端部と、前記室内側部材における室内傾斜片部の室外側端部とが見込み方向に離隔して設けられ、これらの室外側部材と室内側部材との間に隙間が形成され、前記ガラリ羽根の室内側部材における前記中間延出片部は、当該ガラリ羽根の見付け方向と略平行かつ直線状に延びるとともに、この延びた先端部が室外側に屈曲して形成され、この中間延出片部と、当該ガラリ羽根の見付け方向他方側に隣り合う他のガラリ羽根の室内側部材における前記室内側延出片部とは、互いの少なくとも一部が見込み方向に重なって配置されていることを特徴とする。
【００１４】
さらに、本発明の関連技術であるガラリでは、前記室内側部材は、前記中間延出片部の途中位置から室外側に延びるとともに前記隙間の見付け方向他方側を覆う第２中間延出片部を有して形成され、前記第２中間延出片部は、前記中間延出片部から室外側に向かうにしたがって見付け方向他方側に傾斜するとともに、その先端部が見付け方向一方側に屈曲して形成されていることが好ましい。
このような構成によれば、隙間の見付け方向他方側を覆う第２中間延出片部を室内側部材に形成したことで、ガラリ羽根の中間位置にて風雨の勢いを確実に低下させることができる。さらに、見付け方向他方側に傾斜した先端部が見付け方向一方側に屈曲して第２中間延出片部が形成されていることで、分離した水分の吹き上げを一層確実に防止することができる。また、見付け方向他方側に傾斜した第２中間延出片部の基端部分と中間延出片部との交差部分が樋状に形成されることで、この樋状の交差部分で水分を受けて排水する
ことができる。
また、本発明の関連技術であるガラリでは、前記複数のガラリ羽根は、略水平に延びて左右両端部が前記枠体の縦枠に支持されるとともに、当該複数のガラリ羽根同士が上下に並んで設けられ、前記室内側部材において、前記室内傾斜片部の室外側端部と前記中間延出片部の基端部との交差位置に中間樋部が形成され、前記室内傾斜片部の室内側端部と前記室内側延出片部との交差位置に第１室内側樋部が形成され、前記室内側延出片部の見付け方向一方側端部に第２室内側樋部が形成され、前記縦枠において、前記中間樋部に対応した見込み位置には、当該中間樋部を流れてきた水を下方に案内する中間縦樋部が設けられ、前記第１および第２の室内側樋部に対応した見込み位置には、当該第１および第２の室内側樋部を流れてきた水を下方に案内する室内側縦樋部が設けられていることが好ましい。
このような構成によれば、ガラリ羽根を略水平に設置した場合において、中間樋部と第１および第２の室内側樋部とによって、前述のように分離した雨水を受け止めることができ、この雨水の吹き上げを防止して水分の減少した風を室内側に流れ込ませることができる。さらに、中間樋部、第１および第２の室内側樋部に対応した中間縦樋部および室内側縦樋部を縦枠に形成したことで、分離した雨水を下方に案内して排水することができ、ガラリ羽根表面などに雨水が滞留することが防止できる。
この際、本発明の関連技術であるガラリでは、前記複数のガラリ羽根の左右両端部には、上下に隣り合う前記室内側部材の室内側延出片部同士に渡って上下に延びる縦部材が設けられ、前記縦部材と前記縦枠との間には、前記室内側縦樋部に連通した縦通気空間が形成されていることが好ましい。
このような構成によれば、ガラリ羽根の左右両端部に縦部材を設け、この縦部材と縦枠との間に縦通気空間を形成したことで、室内側延出片部や縦部材に衝突した風が縦通気空間を経由することとなり、風の勢いを弱めることができるとともに、この風の流れによって第１および第２の室内側樋部の雨水を室内側縦樋部に導くことができる。
さらに、本発明の関連技術であるガラリでは、前記縦部材は、前記室内側部材の室内側延出片部に沿って見付け方向に延びる見付け片部と、この見付け片部に連続して見込み方向室外側に折れ曲がり前記室内側延出片部の端縁に沿った見込み片部と、を有して形成され、前記縦部材の見込み片部先端と前記縦枠との間には、前記室内側延出片部の室外側空間と前記縦通気空間とを連通させる縦開口部が形成され、この縦開口部から前記縦通気空間に入った風が前記縦部材の見付け片部と前記縦枠との間を通って前記室内側延出片部の室内側に通り抜け可能に構成されていることが好ましい。
このような構成によれば、縦部材の見込み片部先端側に縦開口部を形成したことで、縦部材の見付け片部に風を衝突させるとともに、この風を縦開口部側と見付け片部の先端側との二方向に分けることができ、風の勢いを弱めることができる。そして、縦開口部側に流れて縦通気空間に流入した風が、縦部材の見付け片部の裏側（室内側）を経由してから室内側延出片部の室内側に通り抜け、見付け片部先端側に分かれた風と再び合流することで、風の流れが停滞することなく水分の減少した空気を室内側に送ることができる。
【図面の簡単な説明】
【００１５】
【図１】本発明の実施形態に係るガラリを示す縦断面図である。
【図２】前記ガラリを示す横断面図である。
【図３】前記ガラリのガラリ羽根を拡大して示す縦断面図である。
【図４】前記ガラリの一部を拡大して示す横断面図である。
【図５】前記ガラリ羽根間における通風作用を示す縦断面図である。
【図６】前記ガラリ羽根の端部における通風作用を示す斜視図である。
【発明を実施するための形態】
【００１６】
以下、本発明の実施形態を図面に基づいて説明する。
図１は、本実施形態に係るガラリ１を示す縦断面図である。図２は、ガラリ１を示す横断面図である。図３は、ガラリ１のガラリ羽根１０を拡大して示す縦断面図である。図４は、ガラリ１の一部を拡大して示す横断面図である。
図１および図２において、ガラリ１は、窓や換気開口等の室外側に設けられて室内側への雨水の浸入を防止しつつ、外気を室内側に取り込んだり、内気を屋外に排気したりするためのものである。このガラリ１は、上枠２、下枠３および左右の縦枠４を枠組みした枠体としてのガラリ枠５と、このガラリ枠５内部に支持された複数のガラリ羽根１０とを備えて構成され、複数のガラリ羽根１０間に形成された通気空間１１を介して見込み方向に空気を流通させるようになっている。ガラリ羽根１０は、略水平に延びて左右両端部が縦枠４に支持されるとともに、複数のガラリ羽根１０同士が上下に並んで設けられ、各ガラリ羽根１０は、見込み方向室外側に位置する室外側部材２０と、見込み方向室内側に位置する室内側部材３０とを備えて構成されている。そして、室外側部材２０は、その両端部が左右の縦枠４の室外側側面に取り付けた固定部材２１に係合固定され、室内側部材３０は、その両端部が縦枠４の縦枠アタッチメント４Ｂにビス止め固定されている。
【００１７】
ガラリ羽根１０の室外側部材２０は、図３に示すように、室外側に向かうにしたがって当該ガラリ羽根１０の見付け方向一方側である下方に傾斜する室外傾斜片部２２と、この室外傾斜片部２２の室外側先端から下方に延びる垂下片部２３と、室外傾斜片部２２の室内側端部から上方に立ち上がる立上片部２４とを有して形成されている。そして、室外傾斜片部２２の下面には、係合片部２５が形成されており、立上片部２４および係合片部２５が固定部材２１に係合されることで、固定部材２１を介して室外側部材２０の両端部が縦枠４に固定されるようになっている。また、室外側部材２０は、図２に示すように、縦枠４の室外面よりも室外側に位置して固定されており、室外側部材２０の両端部は、縦枠４と見込み方向に重なって設けられている。すなわち、ガラリ羽根１０において、室外側部材２０の水平長さ寸法は、室内側部材３０の水平長さ寸法よりも長く延びて形成されている。
【００１８】
一方、室内側部材３０は、図３に示すように、室内側に向かうにしたがって当該ガラリ羽根１０の見付け方向一方側である下方に傾斜する室内傾斜片部３１と、この室内傾斜片部３１の室外側端部近傍位置から見付け方向他方側である上方に延びる中間延出片部３２と、この中間延出片部３２の途中位置から室外側に延びる第２中間延出片部３３と、室内傾斜片部３１の室内側端部に連続して見付け方向一方側（下方）および他方側（上方）に延びる室内側延出片部３４とを有して形成されている。そして、室外側部材２０における室外傾斜片部２２の室内側端部と、室内側部材３０における室内傾斜片部３１の室外側端部とは、互いに略同一高さ位置かつ見込み方向に離隔して設けられ、これらの室外側部材２０と室内側部材３０との間には、隙間１２が形成されている。この隙間１２の見付け方向他方側である上方は、室内側部材３０の第２中間延出片部３３に覆われており、室外側斜め上方から隙間１２への直接的な雨水の浸入が防止できるようになっている。
【００１９】
室内側部材３０において、室内傾斜片部３１は、その室外側の大半の部分が上方に凸な略円弧状に形成されるとともに、室外側端部近傍部分が下方に凸に形成され、全体略Ｓ字状の断面を有して構成されている。また、中間延出片部３２は、ガラリ羽根１０の見付け方向である上下方向と略平行かつ直線状に延びる直状立上り部３２Ａと、この直状立上り部３２Ａの上端部から室外側に屈曲して斜め下方に延びる屈曲部３２Ｂとを有して形成されている。また、第２中間延出片部３３は、中間延出片部３２から室外側に向かうにしたがって上方に傾斜した第１傾斜部３３Ａと、第１傾斜部３３Ａの先端部である頂部から斜め下方に延びる第２傾斜部３３Ｂとを有して、への字形に屈曲して形成されている。そして、中間延出片部３２の基端部と室内傾斜片部３１の室外側端部近傍との交差位置には、室外側に開口した第１中間樋部３５が形成され、中間延出片部３２の直状立上り部３２Ａと第２中間延出片部３３の第１傾斜部３３Ａとの交差位置には、室外側上方に開口した第２中間樋部３６が形成されている。
【００２０】
室内側部材３０の室内側端部において、室内側延出片部３４は、室内傾斜片部３１の室内側端部よりも上方に立ち上がる室内立上り部３４Ａと、この室内立上り部３４Ａに連続して室内傾斜片部３１の室内側端部よりも下方に延びる室内垂下片部３４Ｂとを有して形成されている。この室内側延出片部３４において、室内立上り部３４Ａの上端部近傍には、室外側に突出する突出部３４Ｃが形成され、室内垂下片部３４Ｂの下端部には、室外側に屈曲して斜め上方に延びる室内屈曲部３４Ｄが形成されている。そして、室内傾斜片部３１の室内側端部と室内立上り部３４Ａとの交差位置には、室外側上方に開口した第１室内側樋部３７が形成され、室内垂下片部３４Ｂの下端部である室内屈曲部３４Ｄ上側には、室外側上方に開口した第２室内側樋部３８が形成されている。
なお、以上のガラリ羽根１０のうち、図１に示す最上段に設けられるガラリ羽根１０の室内側部材３０Ａにおいては、中間延出片部３２および第２中間延出片部３３が省略されている。
【００２１】
以上のようなガラリ羽根１０の長手方向両端部を支持する縦枠４は、図２および図４に示すように、縦枠本体４Ａと、この縦枠本体４Ａの見付け方向内面に沿って取り付けられる縦枠アタッチメント４Ｂとを有して構成されている。縦枠本体４Ａは、見込み方向に延びる見込み片部４１と、この見込み片部４１の室外側に連続して見付け方向に延びる室外見付け片部４２と、見込み片部４１の室内側に連続して見付け方向に延びる室内見付け片部４３とを有して断面略Ｈ字形に形成されている。縦枠アタッチメント４Ｂは、見込み片部４１に対向する第２見込み片部４４と、この第２見込み片部４４の室外側に連続して縦枠本体４Ａに係合される係合片部４５と、第２見込み片部４４の室内側に連続して縦枠本体４Ａの見込み片部４１側に延びる第２室内見付け片部４６とを有して形成されている。
【００２２】
以上の縦枠４において、前記ガラリ羽根１０の第１中間樋部３５および第２中間樋部３６に対応した見込み位置、すなわち縦枠本体４Ａの室外見付け片部４２と縦枠アタッチメント４Ｂの係合片部４５とで囲まれた位置には、第１中間樋部３５および第２中間樋部３６を流れてきた水を下方に案内する中間縦樋部４Ｃが設けられている。また、前記ガラリ羽根１０の第１室内側樋部３７および第２室内側樋部３８に対応した見込み位置、すなわち縦枠本体４Ａの見込み片部４１および室内見付け片部４３と縦枠アタッチメント４Ｂの第２室内見付け片部４６とで囲まれた位置には、第１室内側樋部３７および第２室内側樋部３８を流れてきた水を下方に案内する室内側縦樋部４Ｄが設けられている。これらの中間縦樋部４Ｃおよび室内側縦樋部４Ｄの下端部は、下枠３の上面に向かって開口して形成され、中間縦樋部４Ｃおよび室内側縦樋部４Ｄを流れ落ちた雨水は、下枠３の上面を介して室外側に排水されるようになっている。
【００２３】
一方、ガラリ羽根１０の室内側部材３０における長手方向両端部の室内側には、上下に隣り合う当該室内側部材３０の室内側延出片部３４同士に渡って上下に延びる縦部材１５が設けられている。この縦部材１５は、室内側延出片部３４に沿って見付け方向に延びる縦部材見付け片部１５Ａと、この縦部材見付け片部１５Ａに連続して見込み方向室外側に折れ曲がった縦部材見込み片部１５Ｂとを有して断面略Ｌ字形に形成されている。そして、縦部材１５は、縦部材見付け片部１５Ａが室内側延出片部３４の室内側側面に沿って固定され、縦部材見込み片部１５Ｂが室内側延出片部３４の端縁に沿って設けられている。このような縦部材１５と縦枠４の室内見付け片部４３との間には、室内側縦樋部４Ｄに連通した縦通気空間４Ｅが形成されている。さらに、縦部材見込み片部１５Ｂと縦枠アタッチメント４Ｂの第２室内見付け片部４６との間には、室内側延出片部３４の室外側空間と室内側縦樋部４Ｄおよび縦通気空間４Ｅとを連通させる縦開口部１５Ｃが形成されている。
【００２４】
次に、ガラリ１の作用について、図５および図６も参照して詳しく説明する。ここで、図５は、隣り合うガラリ羽根１０における通風作用を示す縦断面図である。図６は、ガラリ羽根１０および縦枠４における通風作用を示す斜視図である。
先ず、図５に示すように、屋外側から強風を伴って風雨がガラリ１に吹き付けた場合、ガラリ羽根１０の通気空間１１に入った風雨は、室外側部材２０の室外傾斜片部２２に衝突し、この衝突によって大半の雨水が分離され、分離された雨水が屋外に落下して排水される。ここで、隣り合った上側のガラリ羽根１０における室外側部材２０の垂下片部２３下端と、下側のガラリ羽根１０における中間延出片部３２の上端とは、図５に示すように、高さ寸法Ｓ１だけ見込み方向に重なって設けられているため、屋外側から吹き付けた風雨は、容易に中間延出片部３２まで到達することがないようになっている。一方、強風により横から吹き付けた風雨は、室外傾斜片部２２に沿って室内側に上昇し、室内側部材３０の第２中間延出片部３３まで到達する。この風雨は、第２中間延出片部３３によって２方向に分かれ、分かれた風雨のうちの一方は、第２中間延出片部３３の上を通って中間延出片部３２側に向かい、他方の風雨は、第２中間延出片部３３の下面側に向かう。
【００２５】
第２中間延出片部３３の上を通った風雨は、中間延出片部３２に衝突し、この衝突によって雨水が分離され、分離された雨水が第２中間樋部３６（図３）に落下して溜まることとなる。そして、雨水が分離された風雨は、中間延出片部３２を超えて室内側延出片部３４側に向かう。また、第２中間樋部３６に溜まった雨水は、中間延出片部３２の屈曲部３２Ｂ（図３）によって吹き上げが阻止され、中間延出片部３２を超える風で運ばれないようになっている。一方、第２中間延出片部３３の下面側に向かった風雨は、第２中間延出片部３３の第１傾斜部３３Ａ（図３）に衝突し、この衝突によって雨水が分離され、分離された雨水が第１中間樋部３５（図３）に落下して溜まることとなる。そして、雨水が分離された風雨は、室外側部材２０と室内側部材３０の隙間１２を通って室内側部材３０の下面側に入り、室内傾斜片部３１の下面に沿って室内側延出片部３４側に向かう。以上のように、ガラリ羽根１０における中間部で分離されて第１中間樋部３５および第２中間樋部３６に溜まった雨水は、風圧に押されてガラリ羽根１０の長手方向左右に流れ、左右端部から縦枠４の中間縦樋部４Ｃに到達し、この中間縦樋部４Ｃ内を落下して下枠３上面から排水される。
【００２６】
また、中間延出片部３２を超えて上昇した風雨のうち、風速が弱められて下降する風雨は、室内側延出片部３４の室内立上り部３４Ａに衝突し、この衝突によってさらに雨水が分離され、分離された雨水が第１室内側樋部３７（図３）に落下して溜まることとなる。このように第１室内側樋部３７に溜まった雨水は、室内側延出片部３４の突出部３４Ｃ（図３）によって吹き上げが阻止され、室内側に向かう風で運ばれないようになっている。一方、中間延出片部３２を超えて上昇した風雨、および隙間１２を通って室内傾斜片部３１の下面に沿って流れた風雨は、室内側延出片部３４の室内垂下片部３４Ｂに衝突し、この衝突によってさらに雨水が分離され、分離された雨水が第２室内側樋部３８（図３）に落下して溜まることとなる。この際、隣り合った下側のガラリ羽根１０における中間延出片部３２の上端と、上側のガラリ羽根１０における室内側延出片部３４の下端とは、図５に示すように、高さ寸法Ｓ２だけ見込み方向に重なって設けられているため、中間延出片部３２を超えた風雨が室内側延出片部３４の室内垂下片部３４Ｂに衝突しやすくなっている。そして、雨水が分離された風は、室内側延出片部３４同士の間を通って室内側に向かう。以上のように、ガラリ羽根１０における室内側端部で分離されて第１室内側樋部３７および第２室内側樋部３８に溜まった雨水は、風圧に押されてガラリ羽根１０の長手方向左右に流れ、左右端部から縦枠４の室内側縦樋部４Ｄに到達し、この室内側縦樋部４Ｄ内を落下して下枠３上面から排水される。
【００２７】
一方、図６に示すように、ガラリ羽根１０の長手方向両端部において、室内側部材３０の室内側延出片部３４に衝突した風雨、および縦部材１５に衝突した風雨は、それぞれ２方向に分かれ、分かれた風雨の一方は、縦部材見付け片部１５Ａの見付け方向内側を通って室内側に向かう。分かれた風雨の他方は、見付け方向外側に向かい縦開口部１５Ｃを通って室内側縦樋部４Ｄに入り、この室内側縦樋部４Ｄ内から縦通気空間４Ｅを通過した後に、前記一方の風雨と合流して室内側に向かう。このように、縦部材１５によって風雨を２方向に分けることで、風雨の風速が低下されるとともに衝突の際に雨水が分離され、分離された雨水が室内側縦樋部４Ｄを介して排水されるようになっている。また、室内側延出片部３４の室外側側面において、縦開口部１５Ｃ側に向かう風の流れができることで、第１室内側樋部３７および第２室内側樋部３８に溜まった雨水が誘導され、室内側縦樋部４Ｄに排水されやすくなっている。
【００２８】
このような本実施形態によれば、以下のような効果がある。
（１）すなわち、ガラリ羽根１０の見込み方向中間位置において、第２中間延出片部３３によって風雨が上下２方向に分けられることで、風のエネルギーが消費されて風速を低下させることができる。そして、２方向に分かれた風雨が中間延出片部３２および第２中間延出片部３３に衝突することで、雨水が分離できるとともに、風速が低下したことにより分離した雨水を再度吹き上げることが防止でき、雨水を効果的に分離することができる。さらに、ガラリ羽根１０の見込み方向室内側において、中間延出片部３２を超えた風雨および隙間１２を通過した風雨が、室内側延出片部３４に衝突することで、さらに雨水を分離することができ、水分の減少した風が室内側に流れ込むようにできる。
【００２９】
（２）そして、ガラリ羽根１０の見込み方向中間位置において、中間延出片部３２で分離した雨水を第１中間樋部３５で受け、第２中間延出片部３３で分離した雨水を第２中間樋部３６で受けるとともに、これらの第１中間樋部３５および第２中間樋部３６に溜まった雨水を縦枠４の中間縦樋部４Ｃから排水することができる。また、ガラリ羽根１０の見込み方向室内側において、室内側延出片部３４で分離した雨水を第１室内側樋部３７および第２室内側樋部３８で受けるとともに、これらの第１室内側樋部３７および第２室内側樋部３８、に溜まった雨水を縦枠４の室内側縦樋部４Ｄから排水することができる。従って、各樋部３５，３６，３７，３８で受けた雨水が縦樋部４Ｃ，４Ｄからスムーズに排水されることで、溜まった雨水がオーバーフローしたり、風に吹き上げられたりすることなく、雨水の室内側への浸入をより確実に防止することができる。
【００３０】
（３）また、上下に隣り合ったガラリ羽根１０のうち、下側のガラリ羽根１０に設けた中間延出片部３２の上端と、上側のガラリ羽根１０に設けた室内側延出片部３４の下端とが寸法Ｓ２だけ見込み方向に重なって設けられているので、中間延出片部３２を超えた風雨が室内側延出片部３４の室内垂下片部３４Ｂに衝突しやすくなっている。従って、中間延出片部３２を超えた風雨が直線的に室内側に吹き込むのを防止して、この風雨を室内側延出片部３４に衝突させて水分を分離することができ、一層効果的に風雨を空気と雨水とに分離することができる。
【００３１】
（４）また、中間延出片部３２が直状立上り部３２Ａと屈曲部３２Ｂとを有して形成されているので、直状立上り部３２Ａに風雨を確実に衝突させて水分を分離できるとともに、屈曲部３２Ｂにて分離した雨水の吹き上げが防止でき、中間延出片部３２を超える風雨の水分を確実に減少させることができる。これと同様に、室内側延出片部３４の室内立上り部３４Ａに突出部３４Ｃが形成されているので、室内立上り部３４Ａで分離した雨水の吹き上げが突出部３４Ｃで防止でき、室内側に向かう風に含まれる水分をさらに減少させることができる。さらに、第２中間延出片部３３が隙間１２の上方を覆って設けられるとともに、第１および第２の傾斜部３３Ａ，３３Ｂを有して形成されていることで、隙間１２への直接的な風雨の浸入が防止できるとともに、第２中間延出片部３３で分離した雨水の吹き上げを防止することができる。
【００３２】
（５）また、ガラリ羽根１０の左右両端部において、室内側延出片部３４に縦部材１５が取り付けられ、この縦部材１５と縦枠４との間に縦通気空間４Ｅが形成されるとともに、縦部材１５の縦部材見込み片部１５Ｂと縦枠アタッチメント４Ｂの第２室内見付け片部４６との間に縦開口部１５Ｃが形成されている。このような縦部材１５を設けたことで、室内側延出片部３４や縦部材１５に衝突した風が２方向に分けられ、分かれた風が縦開口部１５Ｃから室内側縦樋部４Ｄおよび縦通気空間４Ｅを経由することで、風の勢いを弱めることができるとともに、この風の流れによって第１室内側樋部３７および第２室内側樋部３８の雨水を室内側縦樋部４Ｄに誘導することができる。従って、ガラリ羽根１０の左右両端部における雨水の滞留や吹き上げを防止でき、室内側への雨水の浸入がより一層確実に防止できる。
【００３３】
なお、本発明は前記実施形態の構成に限定されるものではない。
例えば、前記実施形態では、複数のガラリ羽根１０が略水平に延びるとともに上下に並んで設けられていたが、これに限らず、上下に延びる複数のガラリ羽根１０が互いに左右に並んで設けられていてもよい。このようにガラリ羽根１０を縦に配置する場合には、ガラリ羽根の見付け方向一方側および他方側としては、それぞれ左右いずれかの向きに設定されていればよい。そして、ガラリ羽根１０を縦に配置した場合には、縦枠４の中間縦樋部４Ｃや室内側縦樋部４Ｄなどは省略可能であり、ガラリ羽根１０の中間延出片部３２や第２中間延出片部３３、室内側延出片部３４で分離した雨水を落下させ、下枠３上に落下した雨水が室外側に排水されるように構成されていればよい。
【００３４】
また、前記実施形態のガラリ羽根１０では、室外側部材２０の室外傾斜片部２２が直線状の断面を有して形成され、室内側部材３０の室内傾斜片部３１が略Ｓ字状の断面を有して形成されていたが、室外傾斜片部２２や室内傾斜片部３１の断面としては、直線状や曲線状、あるいは屈曲状など、任意の形態が適用可能である。
さらに、前記実施形態のガラリ羽根１０では、中間延出片部３２の途中位置から室外側に延びる第２中間延出片部３３が設けられていたが、この第２中間延出片部３３を省略してもよいし、あるいは、第２中間延出片部３３を中間延出片部３２と独立して形成してもよい。第２中間延出片部３３を中間延出片部３２と独立して形成する場合には、中間延出片部３２よりも室外側に第２中間延出片部３３を設け、これらの中間延出片部３２と第２中間延出片部３３との間に第１中間樋部を形成することが好ましい。
また、前記実施形態では、縦部材１５を断面略Ｌ字形に形成したが、縦部材の断面形状としては、Ｌ字形に限定されず、任意の形態が利用可能である。
【００３５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３６】
１…ガラリ、４…縦枠、４Ｃ…中間縦樋部、４Ｄ…室内側縦樋部、４Ｅ…縦通気空間、５…ガラリ枠（枠体）、１０…ガラリ羽根、１１…通気空間、１２…隙間、１５…縦部材、１５Ａ…縦部材見付け片部、１５Ｂ…縦部材見込み片部、１５Ｃ…縦開口部、２０…室外側部材、２２…室外傾斜片部、３０…室内側部材、３１…室内傾斜片部、３２…中間延出片部、３３…第２中間延出片部、３４…室内側延出片部、３５…第１中間樋部、３６…第２中間樋部、３７…第１室内側樋部、３８…第２室内側樋部。
【図１】
0005179645.tif 000002
【図２】
0005179645.tif 000003
【図３】
0005179645.tif 000004
【図４】
0005179645.tif 000005
【図５】
0005179645.tif 000006
【図６】
0005179645.tif 000007